(57)【要約】      （修正有）【課題】ICカード（記録媒体）を所有する利用者が、決済に用いる決済ブランドを自動販売機に記憶させることで、決済処理を簡素化する。【解決手段】利用者は決済ブランド登録開始手段を選択してから（ステップS1）、読み書き部にICカードをかざす。読み書き部がICカードを検知すると（ステップS3、Yes）、ICカードに記録されている決済サービス情報に対応した決済ブランドを読み込み（ステップS4）、自動販売機は、自動販売機で扱っている決済ブランドのみを表示部に表示する（ステップS5）。利用者は、この中から決済に用いるブランドを決済ブランド選択手段で選択し、決済ブランド登録決定手段を選択して（ステップS6、Yes）、自動販売機のメモリに記憶させる（ステップS7）。【選択図】図４
2010191694.tif 000002
【特許請求の範囲】
【請求項１】
利用者が所有する複数種類の決済サービス情報が記録された記録媒体を用いて決済を行う自動販売機において、
前記記録媒体に記録された前記複数種類の決済サービス情報に対応する決済ブランドのうち、どの決済ブランドで決済するかを記憶する記憶手段と、
前記記録媒体が通信可能領域に位置した場合に、前記記憶手段に記憶された決済ブランドに基づき決済を行う決済手段と、
を備えることを特徴とする自動販売機。
【請求項２】
前記記憶手段にどの決済ブランドで決済するかを記憶する処理を開始する決済ブランド登録開始手段と、
前記決済ブランド登録開始手段が選択されてから所定時間内に前記記録媒体が通信可能領域に位置した場合に、当該記録媒体に記録されている複数種類の決済サービス情報に対応した決済ブランドのうち、前記自動販売機で扱っている決済ブランドを表示する表示手段と、
前記表示手段に表示された複数種類の決済ブランドのいずれかを選択する決済ブランド選択手段と、
前記決済ブランド選択手段で選択された決済ブランドを前記記憶手段に登録する決済ブランド登録決定手段と、
を備えることを特徴とする請求項１に記載の自動販売機。
【請求項３】
前記記憶手段に記憶される決済ブランドは複数であり、当該複数の決済ブランドに対して優先順位を設定する優先順位設定手段を備え、
前記決済手段は、前記優先順位にしたがって決済金額を満たす決済ブランドを用いて決済する
ことを特徴とする請求項１または２に記載の自動販売機。
【請求項４】
前記自動販売機はネットワークに接続されており、
前記ネットワークに接続した外部機器が作成した登録データを、当該ネットワークから受信する受信手段を備え、
前記受信手段で受信した前記登録データに基づき決済に用いる決済ブランドを当該記憶手段に記憶する
ことを特徴とする請求項１に記載の自動販売機。
【請求項５】
前記登録データは、記録媒体のIDと、決済ブランドのIDとを含むことを特徴とする請求項４に記載の自動販売機。
【請求項６】
前記登録データは、記録媒体のIDと、複数の決済ブランドのIDと、前記複数の決済ブランドが決済に使われる優先順位とを含み、
前記決済手段は、前記優先順位にしたがって決済金額を満たす決済ブランドを用いて決済する
ことを特徴とする請求項４に記載の自動販売機。
【請求項７】
利用者が所有する複数種類の決済サービス情報が記録された記録媒体を用いて決済を行う自動販売機において、
記録媒体のIDと、この記録媒体に記録された複数種類の決済サービス情報に対応する決済ブランドのうち決済に用いる決済ブランドとを記憶する記憶手段と、
所定の記録媒体が通信可能領域に位置した場合に、当該所定の記録媒体のIDを読み取る決済手段と、
前記決済手段が読み取った前記所定の記録媒体のIDが前記記憶手段に記憶されているかを検索する検索手段と、
を備え、
前記決済手段は、前記検索手段により該当する記録媒体のIDが検索されたときは、この記録媒体のIDとともに記憶された決済ブランドに基づき決済を行う
ことを特徴とする自動販売機。
【請求項８】
複数種類の決済サービス情報が記録された利用者が所有する記録媒体を用いて決済を行う決済処理装置において、
前記記録媒体に記録された前記複数種類の決済サービス情報に対応する決済ブランドのうち、どの決済ブランドで決済するかを記憶する記憶手段と、
前記記録媒体が通信可能領域に位置した場合に、前記記憶手段に記憶された決済ブランドに基づき決済を行う決済手段と、
を備えることを特徴とする決済処理装置。
【請求項９】
前記決済処理装置はネットワークに接続されており、
前記ネットワークに接続した外部機器が作成した登録データを、当該ネットワークから受信する受信手段と、
を備え、
前記記憶手段は、前記受信手段で受信した前記登録データに基づき決済に用いる決済ブランドを当該記憶手段に記憶する
ことを特徴とする請求項８に記載の決済処理装置。
【請求項１０】
利用者が所有する複数種類の決済サービス情報が記録された記録媒体を用いて決済を行う自動販売機と、ネットワークを介して前記自動販売機へ接続される外部機器からなる自動販売システムにおいて、
前記自動販売機は、
前記記録媒体に記録された前記複数種類の決済サービス情報に対応する決済ブランドのうち、どの決済ブランドで決済するかを記憶する記憶手段と、
前記記録媒体が通信可能領域に位置した場合に、前記記憶手段に記憶された決済ブランドに基づき決済を行う決済手段と、
を備え、
前記外部機器は、
表示手段と、
入力手段と
を備え、
前記外部機器がネットワークを介して前記自動販売機に接続した場合は、当該自動販売機は登録用データを前記外部機器へ送信し、
前記外部機器は、前記自動販売機から受信した前記登録用データを前記表示手段に表示し、前記登録用データに対して前記入力手段を用いて入力して登録データを作成し、当該登録データを前記自動販売機に送信し、
前記自動販売機は前記外部機器から受信した前記登録データに基づき決済に用いる決済ブランドを前記記憶手段に記憶する
ことを特徴とする自動販売システム。
【請求項１１】
利用者が所有する複数種類の決済サービス情報が記録された記録媒体を用いて決済を行う自動販売機と、ネットワークを介して前記自動販売機へ接続される外部機器からなる自動販売システムにおいて、
前記自動販売機は、
前記記録媒体に記録された前記複数種類の決済サービス情報に対応する決済ブランドのうち、どの決済ブランドで決済するかを記憶する記憶手段と、
前記記録媒体が通信可能領域に位置した場合に、前記記憶手段に記憶された決済ブランドに基づき決済を行う決済手段と、
を備え、
前記外部機器は入力手段を備え、
前記外部機器は、前記入力手段を用いて作成した登録データを前記ネットワークへ送信し、
前記自動販売機は前記ネットワークから受信した前記登録データに基づき決済に用いる決済ブランドを前記記憶手段に記憶する
ことを特徴とする自動販売システム。
【請求項１２】
利用者が所有する複数種類の決済サービス情報が記録された記録媒体を用いて決済を行う決済処理装置と、ネットワークを介して前記決済処理装置へ接続される外部機器からなる決済処理システムにおいて、
前記決済処理装置は、
前記記録媒体に記録された前記複数種類の決済サービス情報に対応する決済ブランドのうち、どの決済ブランドで決済するかを記憶する記憶手段と、
前記記録媒体が通信可能領域に位置した場合に、前記記憶手段に記憶された決済ブランドに基づき決済を行う決済手段と、
を備え、
前記外部機器は入力手段を備え、
前記外部機器は、前記入力手段を用いて作成した登録データを前記ネットワークへ送信し、
前記決済処理装置は前記ネットワークから受信した前記登録データに基づき決済に用いる決済ブランドを前記記憶手段に記憶する
ことを特徴とする決済処理システム。
【発明の詳細な説明】
【技術分野】
【０００１】
本発明は、利用者が所有するICカード等の記録媒体を用いて決済を行う自動販売機、決済処理装置、自動販売システムおよび決済処理システムに関する。
【背景技術】
【０００２】
従来より、電子的な有価価値情報である電子マネー（決済サービス情報）を記録したICカードや携帯端末などの記録媒体を使い、購入代金を決済する技術が知られている。電子マネーを使った決済サービスを提供する決済事業者（決済ブランド）は複数存在し、したがって決済事業者（決済ブランド）に対応した決済サービス情報も複数ある。記録媒体としては、接触式ICカードや非接触ICカード、非接触ICカードを内在した携帯端末などがある。
【０００３】
特許文献１は、複数の決済サービス情報が記録された記録媒体と決済する決済処理装置が、複数種類の決済サービス情報に対応する決済ブランドを表示部に表示し、利用者が決済に用いる決済ブランドを選択して決済を行う技術が記載されている。
【先行技術文献】
【特許文献】
【０００４】
【特許文献１】特開２００８−９７４８号公報
【発明の概要】
【発明が解決しようとする課題】
【０００５】
しかしながら、特許文献１は、利用者が決済時に決済ブランドを選択するステップが生じ、決済に用いる決済ブランドを予め決めている利用者にとっては、余計な手間や時間がかかることになる。
本発明は、上記課題を解決するためになされたもので、記録媒体を所有する利用者が、自動販売機や決済処理装置へ決済に用いる決済ブランドを記憶させることで、決済処理を簡素化することを目的とする。
【課題を解決するための手段】
【０００６】
上記課題を解決するために、請求項１に記載の発明は、利用者が所有する複数種類の決済サービス情報が記録された記録媒体を用いて決済を行う自動販売機において、前記記録媒体に記録された前記複数種類の決済サービス情報に対応する決済ブランドのうち、どの決済ブランドで決済するかを記憶する記憶手段と、前記記録媒体が通信可能領域に位置した場合に、前記記憶手段に記憶された決済ブランドに基づき決済を行う決済手段と、を備えることを特徴とする。
【０００７】
請求項２に記載の発明は、前記記憶手段にどの決済ブランドで決済するかを記憶する処理を開始する決済ブランド登録開始手段と、前記決済ブランド登録開始手段が選択されてから所定時間内に前記記録媒体が通信可能領域に保持された場合に、当該記録媒体に記録されている複数種類の決済サービス情報に対応した決済ブランドのうち、前記自動販売機で扱っている決済ブランドを表示する表示手段と、前記表示手段に表示された複数種類の決済ブランドのいずれかを選択する決済ブランド選択手段と、前記決済ブランド選択手段で選択された決済ブランドを前記記憶手段に登録する決済ブランド登録決定手段と、を備えることを特徴とする。
請求項３に記載の発明は、前記記憶手段に記憶される決済ブランドは複数であり、当該複数の決済ブランドに対して優先順位を設定する優先順位設定手段を備え、前記決済手段は、前記優先順位にしたがって決済金額を満たす決済ブランドを用いて決済することを特徴とする。
請求項４に記載の発明は、前記自動販売機はネットワークに接続されており、前記ネットワークに接続した外部機器が作成した登録データを、当該ネットワークから受信する受信手段を備え、前記受信手段で受信した前記登録データに基づき決済に用いる決済ブランドを当該記憶手段に記憶することを特徴とする。
請求項５に記載の発明は、前記登録データは、記録媒体のIDと、決済ブランドのIDとを含むことを特徴とする。
請求項６に記載の発明は、前記登録データは、記録媒体のIDと、複数の決済ブランドのIDと、前記複数の決済ブランドが決済に使われる優先順位とを含み、前記決済手段は、前記優先順位にしたがって決済金額を満たす決済ブランドを用いて決済することを特徴とする。
請求項７に記載の発明は、利用者が所有する複数種類の決済サービス情報が記録された記録媒体を用いて決済を行う自動販売機において、記録媒体のIDと、この記録媒体に記録された複数種類の決済サービス情報に対応する決済ブランドのうち決済に用いる決済ブランドとを記憶する記憶手段と、所定の記録媒体が通信可能領域に位置した場合に、当該所定の記録媒体のIDを読み取る決済手段と、前記決済手段が読み取った前記所定の記録媒体のIDが前記記憶手段に記憶されているかを検索する検索手段と、を備え、前記決済手段は、前記検索手段により該当する記録媒体のIDが検索されたときは、この記録媒体のIDとともに記憶された決済ブランドに基づき決済を行うことを特徴とする。
請求項８に記載の発明は、複数種類の決済サービス情報が記録された利用者が所有する記録媒体を用いて決済を行う決済処理装置において、前記記録媒体に記録された前記複数種類の決済サービス情報に対応する決済ブランドのうち、どの決済ブランドで決済するかを記憶する記憶手段と、前記記録媒体が通信可能領域に位置した場合に、前記記憶手段に記憶された決済ブランドに基づき決済を行う決済手段と、を備えることを特徴とする。
請求項９に記載の発明は、前記決済処理装置はネットワークに接続されており、前記ネットワークに接続した外部機器が作成した登録データを、当該ネットワークから受信する受信手段と、を備え、前記記憶手段は、前記受信手段で受信した前記登録データに基づき決済に用いる決済ブランドを当該記憶手段に記憶することを特徴とする。
請求項１０に記載の発明は、利用者が所有する複数種類の決済サービス情報が記録された記録媒体を用いて決済を行う自動販売機と、ネットワークを介して前記自動販売機へ接続される外部機器からなる自動販売システムにおいて、前記自動販売機は、前記記録媒体に記録された前記複数種類の決済サービス情報に対応する決済ブランドのうち、どの決済ブランドで決済するかを記憶する記憶手段と、前記記録媒体が通信可能領域に位置した場合に、前記記憶手段に記憶された決済ブランドに基づき決済を行う決済手段と、を備え、前記外部機器は、表示手段と、入力手段とを備え、前記外部機器がネットワークを介して前記自動販売機に接続した場合は、当該自動販売機は登録用データを前記外部機器へ送信し、前記外部機器は、前記自動販売機から受信した前記登録用データを前記表示手段に表示し、前記登録用データに対して前記入力手段を用いて入力して登録データを作成し、当該登録データを前記自動販売機に送信し、前記自動販売機は前記外部機器から受信した前記登録データに基づき決済に用いる決済ブランドを前記記憶手段に記憶することを特徴とする。
請求項１１に記載の発明は、利用者が所有する複数種類の決済サービス情報が記録された記録媒体を用いて決済を行う自動販売機と、ネットワークを介して前記自動販売機へ接続される外部機器からなる自動販売システムにおいて、前記自動販売機は、前記記録媒体に記録された前記複数種類の決済サービス情報に対応する決済ブランドのうち、どの決済ブランドで決済するかを記憶する記憶手段と、前記記録媒体が通信可能領域に位置した場合に、前記記憶手段に記憶された決済ブランドに基づき決済を行う決済手段と、を備え、前記外部機器は入力手段を備え、前記外部機器は、前記入力手段を用いて作成した登録データを前記ネットワークへ送信し、前記自動販売機は前記ネットワークから受信した前記登録データに基づき決済に用いる決済ブランドを前記記憶手段に記憶することを特徴とする。
請求項１２に記載の発明は、利用者が所有する複数種類の決済サービス情報が記録された記録媒体を用いて決済を行う決済処理装置と、ネットワークを介して前記決済処理装置へ接続される外部機器からなる決済処理システムにおいて、前記決済処理装置は、前記記録媒体に記録された前記複数種類の決済サービス情報に対応する決済ブランドのうち、どの決済ブランドで決済するかを記憶する記憶手段と、前記記録媒体が通信可能領域に位置した場合に、前記記憶手段に記憶された決済ブランドに基づき決済を行う決済手段と、を備え、前記外部機器は入力手段を備え、前記外部機器は、前記入力手段を用いて作成した登録データを前記ネットワークへ送信し、前記決済処理装置は前記ネットワークから受信した前記登録データに基づき決済に用いる決済ブランドを前記記憶手段に記憶することを特徴とする。
【発明の効果】
【０００８】
本発明によれば、利用者が自動販売機または決済処理装置に、決済に用いる決済ブランドを記憶させるので、決済処理を簡素化できる。
さらに、自動販売機または決済処理装置に複数種類の決済ブランドを記憶させる場合は、決済に用いる決済ブランドに優先順位を設定することで、決済処理を簡素化できる。
【図面の簡単な説明】
【０００９】
【図１】本発明のシステム構成図である。
【図２】本発明における自動販売機の決済処理部の一例を示した図である。
【図３】本発明における自動販売機の機能ブロック図である。
【図４】自動販売機に決済ブランドを登録する処理を示した図である。
【図５】自動販売機に決済ブランドを追加登録する処理を示した図である。
【図６】外部機器から自動販売機に決済ブランドを登録する処理を示した図である。
【図７】自動販売機に決済ブランドを登録するために、自動販売機が外部機器へ送信する登録用データを示した図である。
【図８】自動販売機の販売動作の処理を示した図である。
【発明を実施するための形態】
【００１０】
添付図面を適宜参照しながら、本発明にかかる自動販売機および自動販売システムの好適な実施の形態について説明する。
図１〜３は、本発明の自動販売システムおよび自動販売機の構成を示している。
図１は、本発明のシステム構成図である。
図１において、１はLANやインターネットなどのネットワーク、２は自動販売機、１０は外部機器である。自動販売機２は、自動販売機内に収容された商品を選択する商品選択ボタン３、硬貨投入口４、返却レバー５、決済処理部６、商品搬出口７を備える。
外部機器１０は、ネットワークを介してデータを送信する送信手段１１、ネットワークを介してデータを受信する受信手段１２、受信したデータなどを表示する表示部１３、入力部１４、種々の制御を行う制御部１５を備える。外部機器１０の例としては、ネットワークに接続可能なパーソナルコンピュータや携帯端末がある。
【００１１】
図２は、利用者が所有する複数種類の決済サービス情報が記録された非接触ICカード８を用いて決済などの処理を行う、不図示のCPUやメモリを備えた決済処理部６の一例を示した図である。
利用者が投入した金額を示す投入金額部６１、利用者へ文字によるガイダンスを行ったり決済ブランドを表示したりして種々の情報を表示する表示部６２を備える。また非接触ICカード８に対してデータの読み書きを行うカード読み書き部６３、どの決済ブランドで決済するかを自動販売機２に記憶する処理を開始する決済ブランド登録開始手段６４を備える。そして、記憶させる決済ブランドを選択する決済ブランド選択手段６５で選択された決済ブランドを、自動販売機２に記憶させるための決済ブランド登録決定手段６６を備える。さらに、自動販売機２が複数の決済ブランドを記憶している場合に、決済に用いる優先順位を設定する優先順位設定手段６７を備える。
決済処理部６は、上位機器である自動販売機２からの決済指令を受けて、非接触ICカード８との間で決済サービス情報（電子マネー）を使って決済を行う決済手段として機能する。決済手段として必要な構成は、非接触ICカード８などの記録媒体と通信するためのカード読み書き部６２と、決済手段を動作させるためのCPU（不図示）や、アプリケーションプログラムや通信鍵などを記憶する各種メモリ（不図示）である。決済手段は、従来の決済端末を想定しており、たとえば特開２００８−１９９２０６号公報の図２などに示されている構成でよい。
本実施例では、利用者が所有する記録媒体を非接触ICカード８としたが、接触式ICカードや非接触ICカードを内在した携帯端末などとしてもよい。以下、単にICカードと呼ぶこともある。ICカード８は、少なくともICカード８に固有のIDと、複数種類の決済サービス情報（電子マネー価値）と、複数種類の決済サービス情報に対応した決済ブランドのIDが記録されている。ICカード８に固有のIDとしては、たとえばFelicaチップ（登録商標）の番号がある。
決済ブランド登録開始手段６４と決済ブランド登録決定手段６６は、たとえば同一のボタンを共用してもよい。決済ブランド選択手段６５と優先順位設定手段６７も、同一の操作部を共用してもよい。決済ブランド登録開始手段６４、決済ブランド登録決定手段６６、決済ブランド選択手段６５、優先順位設定手段６７は、表示部６２に表示させて選択できるようなタッチパネル式で実現してもよい。決済ブランドを記憶する場所は、本実施例では自動販売機２内のメモリ２４としたが、決済処理部６内のメモリ（不図示）でもよい。
【００１２】
図３は、自動販売機の機能ブロック図である。
自動販売機２は、ネットワークを介してデータを送信する送信手段２１、ネットワークを介してデータを受信する受信手段２２、種々の制御を行う制御部２３を備える。また、ICカード８のIDに対応付ける形で、決済に用いる決済ブランドのIDや、決済ブランドが複数ある場合は決済に使う優先順位などを記憶する記憶手段であるメモリ２４を備える。そして、自動販売機２にかざされたICカード８のIDおよび決済ブランドのIDがメモリ２４に記憶されているかどうかを検索する検索手段２５、決済処理部６を備える。
図４・５は、ICカード８を所有する利用者が、決済に用いる決済ブランドを自動販売機２に登録するときの処理を示している。
図４は、利用者が初めて決済に用いる決済ブランドを自動販売機へ登録するときの処理フローである。
利用者は決済ブランド登録開始手段６４を選択すると（ステップS1）、自動販売機２は決済処理部６の表示部６２に、非接触ICカード８をカード読み書き部６３と通信可能な領域に位置（タッチ）してもらうため、「ICカードをかざしてください」とガイダンス表示する（ステップS2）。カード読み書き部６３は、所定時間内にICカード８が位置したことを検知すると（ステップS3、Yes）、ICカード８に記録されている決済サービス情報に対応した決済ブランドを読み込む（ステップS4）。このとき、ICカード８のIDと決済ブランドのIDの両方を読み込む。カード読み書き部６３は、所定時間内にICカード８を検知できないときは（ステップS3、No）、処理を中止する。
自動販売機２は、ステップS4で読み込んだ決済ブランドのうち、自動販売機２で扱っている決済ブランドのみを表示部６２に表示する（ステップS5）。利用者は、表示部６２に表示された決済ブランドのうち、決済に用いるブランドを決済ブランド選択手段６５で選択し、決済ブランド登録決定手段６６を選択する（ステップS6、Yes）。所定時間内に決済に用いるブランドが選択／決定されない場合は、処理を中止する（ステップS6、No）。
【００１３】
決済ブランド登録決定手段６６を選択すると、自動販売機２の制御部２３はICカード８のIDと選択された決済ブランドのIDを対応付けた形で、自動販売機２のメモリ２４に記憶する（ステップS7）。そして、表示部６２に登録完了を表示し（ステップS8）、処理を終了する。
このように、自動販売機２の前面に決済ブランドを登録するための手段を備えることにより、利用者が容易に決済時に利用する決済ブランドを自動販売機２に記憶できる。
図５は、利用者が決済に用いる決済ブランドを自動販売機へ追加登録するときの処理フローである。
ステップS11〜S14・S16・S18の処理は、初めて決済に用いる決済ブランドを自動販売機へ登録するときのステップS1〜S4・S6・S8のそれぞれの処理（図４）と同じであるので、説明を割愛する。異なるのは、ステップS15およびステップS17である。
ステップS15において自動販売機２は、検索手段２５により、ステップS14で読み込んだ決済ブランドのうち、自動販売機２のメモリ２４に記憶されておらず、かつ自動販売機２で扱っている決済ブランドのみを表示部６２に表示する（ステップS15）。
ステップS17では、メモリ２４に記憶されている決済ブランドと、ステップS16で選択された決済ブランドを、表示部６２に表示する。そして、複数種類の決済ブランドに対して、優先順位設定手段６７により決済に用いる優先順位を設定し、メモリ２４にICカードIDに対応付ける形で、決済ブランドのIDと設定した優先順位を記憶する。優先順位を設定する一例としては、まず優先順位を１位にしたい決済ブランドをブランド選択手段６５で選択し、優先順位決定手段６７で１位を選択することで設定する。次に、優先順位を２位にしたい決済ブランドをブランド選択手段６５で選択し、優先順位決定手段６７で２位を選択することで設定する。３位以下の優先順位を設定するときも同様である。前述した優先順位の設定方法はあくまで一例であり、本発明の権利範囲はこの設定方法に限定されない。
図６・７は、ICカード８を所有する利用者が、外部機器１０を使ってネットワーク１経由で、決済に用いる決済ブランドを自動販売機２に登録するときの処理を示している。
利用者は、外部機器１０にインストールされているwebブラウザなどを使って、決済に用いる決済ブランドを設定したい自動販売機２を検索し、接続する。自動販売機２は、ネットワーク１経由で外部機器１０が接続したのを検知すると（ステップS21）、自動販売機２は決済ブランドを登録するための登録用データ９を、送信手段２１を使って外部機器１０へ送信する（ステップS22）。
図７は、自動販売機２が外部機器１０へ送信する登録用データ９を示している。
９１はICカードIDを入力するスペース、９２は決済ブランドIDを入力するスペースである。９３は登録する決済ブランドが複数の場合に、決済に使用する順番を設定する優先順位設定部である。９４は登録用データに入力したデータを、登録データとして自動販売機２へ送信するための決定手段である。９５は各々の自動販売機に付与される自動販売機IDが入力されるスペースである。図７では決済ブランドＡ〜Ｃ（電子マネーＡ〜Ｃ）を示しているが、この決済ブランドは自動販売機で決済可能なブランドのみ表示する。
外部機器１０は登録用データ９を受信手段１２により受信すると、表示部１３に表示し、入力部１４を使ってICカードのID９１と決済ブランドのID９２を登録用データ９に入力し、登録データを作成する。複数種類の決済ブランドを入力する場合は、優先順位設定部９３へ決済するときの優先順位を設定した登録データを作成する。自動販売機ID９５は自動販売機２へ接続したときに予め入力されている。所定事項への入力が終わると、決定手段９４を選択し、送信手段１１を使って登録データを自動販売機２へ送信する。
ここで、再び図６に戻って説明する。自動販売機２の受信手段２２は、所定時間内に外部機器１０から登録データを受信すると（ステップS23、Yes）、メモリ２４に登録データの内容を記憶する（ステップS24）。具体的には、ICカードID９１と決済ブランドID９２と優先順位設定部９３の内容を記憶する。所定時間内に決済に登録データを受信しない場合は、処理を中止する（ステップS23、No）。
ステップS24において、メモリ２４に登録データの内容を記憶すると、自動販売機２は外部機器１０に対して登録完了を通知し（ステップS25）、処理を終了する。
【００１４】
このように、利用者がパーソナルコンピュータや携帯端末などの外部機器１０を利用し、自動販売機２に接続することで、決済時に利用する決済ブランドを簡単に自動販売機へ記憶できる。
なお、図６の処理は、自動販売機２のメモリ２４へ決済ブランドを記憶するために、外部機器１０と自動販売機２とが登録データを直接やり取りした場合を示したが、この例に限定されない。たとえば、ネットワーク１には、自動販売機２と外部機器１０およびサーバ（不図示）が接続されるシステム構成としてもよい。
【００１５】
すなわち、サーバには自動販売機が設置されるロケーションおよび自動販売機ID、各自動販売機で決済可能な決済ブランドに関する情報が記憶される。外部機器１０はサーバへアクセスし、決済ブランドを設定したい自動販売機を検索し、図７の登録用データ９を呼び出す。外部機器１０はICカードID９１と決済ブランドID９２と優先順位設定部９３へ入力して作成した登録データをサーバへ送信する。自動販売機ID９５は、サーバで登録用データ９を呼び出したときに予め入力されている。サーバは外部機器１０が作成した登録データを、利用者が設定したい自動販売機２へ送信し、自動販売機２は登録データの内容をメモリ２４に記憶する。
図８は、決済に用いる決済ブランドが記憶された自動販売機２において、ICカード８を使って決済を行うときの処理である。
利用者は商品選択ボタン３を押して、商品選択を行う（ステップS31）。自動販売機２は所定時間内にICカード８がカード読み書き部６３に位置した（かざされた）ことを検知すると（ステップS32、Yes）、ICカード８のID、ICカード８に記録された複数種類の決済サービス情報（電子マネーの残高）および対応する決済ブランドのIDを読み込む（ステップS33）。そして、自動販売機２のメモリ２４に、今回かざされたICカード８が記憶されているかどうかを、ICカード８のIDをキーにして検索手段２５で検索する（ステップS34）。なお、所定時間内にICカード８がカード読み書き部６３にかざされなかった場合は、処理を中止する（ステップS32、No）。
ステップS34で検索した結果、今回かざされたICカード８がメモリ２４に記憶されていた場合（ステップS34、Yes）は、商品の価格と、メモリ２４に記憶されているICカード８に関連付いたすべての決済ブランドに対応したICカード８の決済サービス情報（電子マネー残高）とを比較する（ステップS35）。そして、電子マネー残高の方が大きい決済サービス情報があった場合は（ステップS35、Yes）、最も優先順位が高い決済サービス情報を使って決済を行う（ステップS36）。自動販売機２の制御部２３が決済を指示し、決済処理部６のCPU（不図示）が決済処理を行う。このとき、自動販売機２の制御部２３は、どの決済ブランドを用いて決済したかを表示部６２に表示させる。
ステップS34で検索した結果、今回かざされたICカード８がメモリ２４に記憶されていない場合（ステップS34、No）は、販売不可と判断して終了する。ステップS35で、電子マネー残高の方が大きい決済サービス情報がなかった場合も（ステップS35、No）、販売不可と判断して終了する。
ステップS36で決済処理を完了したら、選択した商品を搬出し（ステップS37）、販売動作を終了する。
なお、決済ブランドには、プリペイド型とポストペイ型があるが、ポストペイ型の場合は上述した処理と異なってもよい。たとえば、ICカード８に記録されている決済ブランド（または決済サービス情報）が１つだけであり、この決済ブランドがポストペイ型である場合は、この決済ブランドで決済を行う。電子マネー残高の情報は不要となる。
また、ICカード８に記録されている決済ブランドが複数あり、優先順位が１位にポストペイ型の決済ブランドが設定されている場合は、このポストペイ型の決済ブランドで決済を行う。
さらに、ICカード８に記録されている決済ブランドが複数あり、優先順位が１位にプリペイド型、２位にポストペイ型の決済ブランドが設定されている場合は、優先順位が１位であるプリペイド型の決済ブランドの残高が不足していれば、２位のポストペイ型の決済ブランドで決済を行う。
【００１６】
このように、本発明によれば、自動販売機へ決済に用いる決済ブランドを記憶することで、商品購入時の操作性の向上と、購入時の動作をはやくすることができる。
また、自動販売機２の前面に決済ブランドを登録するための手段を備えることにより、利用者が容易に決済時に利用する決済ブランドを自動販売機２に記憶できる。
また、利用者がパーソナルコンピュータや携帯端末などの外部機器１０を利用し、自動販売機２に接続することで、決済時に利用する決済ブランドを簡単に自動販売機へ記憶できる。
なお、本発明は、複数の自動販売機２のそれぞれに対して、決済に用いる決済ブランドを設定できるため、自動販売機ごとに異なる販売促進を行う場合に優れた効果を得られる。すなわち、自動販売機２Ａで優遇される決済ブランドと、自動販売機２Ｂで優遇される決済ブランドが異なる場合でも、それぞれの自動販売機に適切な決済ブランドを設定することで、より多くの優遇を享受することが可能となる。優遇内容は、たとえばポイント還元やクーポン配信、プライスダウンなどがある。
また、以上の説明は自動販売機および自動販売システムを例にあげたが、本発明はこの実施形態に限定されない。本発明は決済処理部６を自動販売機２に組み込んだ形としたが、たとえば、決済処理部６とPOSレジとを組み合わせた決済処理装置および決済処理システムにも適用できる。
【符号の説明】
【００１７】
１    ネットワーク
２    自動販売機
３    商品選択ボタン
４    硬貨投入口
５    返却レバー
６    決済処理部
７    商品搬出口
８    ICカード
９    登録用データ
１０  外部機器
１１  送信手段
１２  受信手段
１３  表示部
１４  入力部
１５  制御部
２１  送信手段
２２  受信手段
２３  制御部
２４  メモリ
２５  検索手段
６１  投入金額部
６２  表示部
６３  カード読み書き部
６４  決済ブランド登録開始手段
６５  決済ブランド選択手段
６６  決済ブランド登録決定手段
６７  優先順位決定手段
９１  ICカードID
９２  決済ブランドID
９３  優先順位設定部
９４  決定手段
９５  自動販売機ID
【図１】
2010191694.tif 000003
【図２】
2010191694.tif 000004
【図３】
2010191694.tif 000005
【図４】
2010191694.tif 000006
【図５】
2010191694.tif 000007
【図６】
2010191694.tif 000008
【図７】
2010191694.tif 000009
【図８】
2010191694.tif 000010